(57)【要約】【課題】複数の表示パネルを配列して構成する画像表示装置において、継目が目立たずに、高精細で高い開口率の画像表示装置を提供することを目的とする。【解決手段】少なくとも第１の表示パネル１０１ａと第２の表示パネル１０１ｂとを配列して画像を表示する画像表示装置１００において、第１の表示パネル１０１ａと第２の表示パネル１０１ｂとは、それぞれ所定間隔である画素ピッチＰで設けられている複数の画素２０３を有し、第１の表示パネル１０１ａと第２の表示パネル１０１ｂとの継目２０４の近傍に、画素２０３からの光を散乱させて射出する散乱部２０５が形成されている。【選択図】      図２
2005003990.tif 000002
【特許請求の範囲】
【請求項１】
少なくとも第１の表示パネルと第２の表示パネルとを配列して画像を表示する画像表示装置において、
前記第１の表示パネルと前記第２の表示パネルとは、それぞれ所定間隔で設けられている複数の画素を有し、
前記第１の表示パネルと前記第２の表示パネルとの継目の近傍に、前記画素からの光を散乱させて射出する散乱部が形成されていることを特徴とする画像表示装置。
【請求項２】
前記散乱部は、前記第１の表示パネルと前記第２の表示パネルとの内部に形成されていることを特徴とする請求項１に記載の画像表示装置。
【請求項３】
前記散乱部は、前記第１のパネルと前記第２のパネルとの射出側の面上に形成されていることを特徴とする請求項１に記載の画像表示装置。
【請求項４】
前記散乱部は、前記第１の表示パネルと前記第２の表示パネルとを構成する部材の屈折率に対して、前記屈折率の分布が不均一な領域と、前記屈折率の分布が不連続な領域と、気泡が形成されている領域との少なくともいずれか一つの領域であることを特徴とする請求項１〜３のいずれか一項に記載の画像表示装置。
【請求項５】
前記散乱部は、前記第１の表示パネルの前記画素と前記第２の表示パネルの前記画素とに対して、前記所定の間隔の位置に形成されていることを特徴とする請求項１〜４のいずれか一項に記載の画像表示装置。
【請求項６】
前記第１の表示パネルと前記第２の表示パネルとは、それぞれ液晶表示パネルであり、
前記液晶表示パネルへ照明光を供給する光源をさらに有することを特徴とする請求項１〜５のいずれか一項に記載の画像表示装置。
【請求項７】
前記所定の間隔で設けられている複数の前記画素の間の領域に、前記光源からの光を遮光する遮光部を有し、
前記散乱部は、前記遮光部の位置に対応して形成されていることを特徴とする請求項６に記載の画像表示装置。
【請求項８】
前記第１の表示パネルと前記第２の表示パネルとは、それぞれ有機エレクトロルミネッセンス・パネル又は無機エレクトロルミネッセンス・パネルであることを特徴とする請求項１〜５のいずれか一項に記載の画像表示装置。
【発明の詳細な説明】
【０００１】
【発明の属する技術分野】
本発明は、画像表示装置、特に複数の画像表示パネルを接合して大画面を得る画像表示装置に関する。
【０００２】
【従来の技術】
画像表示装置として、例えば、液晶表示パネルや、有機又は無機のエレクトロルミネッセンス（以下、「ＥＬ」という。）などの平面表示パネルが知られている。そして、近年、大画面な画像表示装置に対するニーズが増加している。ここで、液晶表示パネルでは、その生産性、開口率、表示の均一性などの点から大画面で高精細な単一のパネルを製造することは困難である。また、ＥＬ表示パネルでは、機械的な強度の点、及び電極の抵抗の増大に伴って駆動電圧を高める必要がある点等から、大画面の単一のパネルを製造することは困難である。このため、ユニット化された表示パネルを、タイル状に複数配列することが大画面化の有力な方法となる。複数の表示パネルを配列して一つの大画面の画像表示装置を構成する方法がいくつか提案されている（例えば、特許文献１〜４）。
【０００３】
【特許文献１】
特開２００２−３７２９２８号公報
【特許文献２】
特開２００１−９２３８９号公報
【特許文献３】
特開平１０−２０２７０号公報
【特許文献４】
特開平５−１８８８７３号公報
【０００４】
【発明が解決しようとする課題】
複数の表示パネルを配列して接合する場合、接合部近傍に画素が存在しない継目が生ずる。継目の領域は、表示パネルの画素ピッチよりも広い間隔において画素が形成されていない非表示領域である。このため、表示パネル間の継目は、接合された大画面内において、例えば直線状の黒い帯として観察者に認識されてしまう。このため、継目が存在する画像は、その品質が低くなってしまう。
【０００５】
継目を目立たなくする方法としては、継目の幅を画素ピッチ以内となるように表示パネルどうしを光学接着剤により精密に接合することが考えられる。このように構成すれば、観察者は、例えば画素間の非表示領域と継目とを識別することがなくなる。しかしながら、高精細化するほど画素ピッチは小さくなる。これに対して、継目領域では、表示パネルを接合するためにある程度の幅が必要となる。このため、継目の幅と画素ピッチとを略一致させる場合、画素ピッチを小さくする高精細化は困難である。
【０００６】
また、表示パネルでは、矩形状の複数の画素が略直交する格子状に配列されている。従って、第１の方向の画素ピッチと、第１の方向に略直交する第２の方向の画素ピッチとの２つの画素ピッチがある。このため、複数の表示パネルを１次元方向（第１の方向）へ配列する場合は、第１の方向の画素ピッチをある程度以上小さくすることは困難である。
【０００７】
さらに、例えば４枚の表示パネルを、２枚ずつ略直交する２次元方向へ配列する場合は、直交する直線状に継目が形成される。このため、第１の方向の画素ピッチと、第２の方向の画素ピッチとの両方の画素ピッチをある程度以上小さくすることは困難である。画素ピッチを小さくできないため、画素の開口部の寸法を大きくできない。このため、複数の表示パネルを配列する画像表示装置の場合、継目を目立たなくしようとすると、高精細化が困難で、開口率の低下を生じるため問題である。特に、表示パネルを２次元方向に配列する画像表示装置の場合に、これらの問題は顕著となる。
【０００８】
本発明は、上述の問題点を解決するためになされたものであり、複数の表示パネルを配列して構成する画像表示装置において、継目が目立たずに、高精細で高い開口率の画像表示装置を提供することを目的とする。
【０００９】
【課題を解決するための手段】
上記課題を解決し、目的を達成するために、本発明によれば、少なくとも第１の表示パネルと第２の表示パネルとを接合して画像を表示する画像表示装置において、前記第１の表示パネルと前記第２の表示パネルとは、それぞれ所定間隔で設けられている複数の画素を有し、前記第１の表示パネルと前記第２の表示パネルとの継目の近傍に、前記画素からの光を散乱させて射出する散乱部が形成されていることを特徴とする画像表示装置を提供できる。
【００１０】
画素からの光は、所定の空間的拡がりを持って第１の表示パネル内又は第２の表示パネル内を進行する。画素からの光のうち散乱部を経由しない光は、そのまま第１の表示パネル又は第２の表示パネルを射出する。そして、継目の近傍に形成された散乱部は、画素からの光の一部を散乱させて、射出する。散乱部からの散乱光により擬似的な画素が形成される。観察者は、本画像表示装置を見る場合、継目領域からは散乱部からの散乱光による擬似的な画素を観察することになる。このため、継目の画素が本来存在しない非表示領域からも光を射出できる。この結果、第１の表示パネルと第２の表示パネルとの継目を目立なくすることができる。また、画素ピッチと継目の幅とを略一致させる必要がない。このため、各画素の寸法を大きくすることで高い開口率、及び高精細化できる。また、表示パネルを２次元方向へ接合する場合でも、継目を目立たないようにし、かつ高い開口率と高精細化を達成できる。このため、容易に画面を大型化することができる。
【００１１】
また、本発明の好ましい態様によれば、前記散乱部は、第１の表示パネルと第２の表示パネルとの内部に形成されていることが望ましい。これにより、散乱部と画素との距離を小さくできる。このため、観察者は、画素からの光と、散乱部からの光とを違和感なく観察できる。
【００１２】
また、本発明の好ましい態様によれば、前記散乱部は、前記第１の表示パネル及び前記第２の表示パネルの射出側の面上に形成されていることが望ましい。これにより、第１の表示パネルと第２の表示パネルとを接合した後に、表示パネルの継目近傍に散乱部を形成すれば良い。このため、散乱部を容易に形成できる。
【００１３】
また、本発明の好ましい態様によれば、前記散乱部は、前記第１の表示パネルと前記第２の表示パネルとを構成する部材の屈折率に対して、前記屈折率の分布が不均一な領域と、前記屈折率の分布が不連続な領域と、気泡が形成されている領域との少なくともいずれか一つの領域であることが望ましい。これにより、画素からの光を有効に散乱させることができる。
【００１４】
また、本発明の好ましい態様によれば、前記散乱部は、前記第１の表示パネルの前記画素と前記第２の表示パネルの前記画素とに対して、前記所定の間隔の位置に形成されていることが望ましい。これにより、画素ピッチを隔てた位置に擬似画素を形成できる。
【００１５】
また、本発明の好ましい態様によれば、前記第１の表示パネルと前記第２の表示パネルとは、それぞれ液晶表示パネルであり、前記液晶表示パネルへ照明光を供給する光源をさらに有することが望ましい。これにより、複数の液晶表示パネルを配列した場合、継目を目立なくすることができる。また、高開口率で、高精細な画像表示装置を得ることができる。
【００１６】
また、本発明の好ましい態様によれば、前記所定の間隔で設けられている複数の前記画素の間の領域に、前記光源からの光を遮光する遮光部を有し、前記散乱部は、前記遮光部の位置に対応して形成されていることが望ましい。これにより、遮光部に対応した位置に散乱部の散乱光による擬似画素が形成される。従って、観察者は、遮光部を認識してしまうことを防止できる。
【００１７】
また、本発明の好ましい態様によれば、前記第１の表示パネルと前記第２の表示パネルとは、それぞれ有機エレクトロルミネッセンス・パネル又は無機エレクトロルミネッセンス・パネルであることが望ましい。これにより、複数の有機又は無機ＥＬ表示パネルを配列した場合、継目を目立なくすることができる。また、高開口率で、高精細な画像表示装置を得ることができる。
【００１８】
【発明の実施の形態】
以下に添付図面を参照して、本発明の好適な実施形態を詳細に説明する。
（第１実施形態）
図１は、第１実施形態に係る画像表示装置１００を斜視方向から見た概観構成を示す。少なくとも第１の表示パネルと第２の表示パネルとに対応する４枚の平面状の表示パネル１０１ａ、１０１ｂ、１０１ｃ、１０１ｄが、横方向と縦方向（図のｘ、ｙ方向）にそれぞれ２枚ずつ配列されている。表示パネル１０１ａと表示パネル１０１ｂとの接合部近傍の断面構成（ｘｚ面内）を図２に示す。表示パネル１０１ｃ、１０１ｄの構成も表示パネル１０１ａ、１０１ｂと同一であるため、図示とその説明は省略する。表示パネル１０１ａ、１０１ｂは、それぞれ複数の画素２０３を有する有機ＥＬパネルである。画素２０３は、第１の硝子基板２０１上に所定の間隔である画素ピッチＰで略直交する格子状に形成されている。また、第１の硝子基板２０１上には、画素２０３を封止するように第２の硝子基板２０２が設けられている。
【００１９】
表示パネル１０１ａと表示パネル１０１ｂとは、光学的接着剤で接合される。光学的接着剤は、表示パネル１０１ａ、１０１ｂを構成する第２の硝子基板２０２の屈折率と略同一の屈折率を有する。表示パネル１０１ａと表示パネル１０１ｂとの接合部には、直線状の継目２０４が存在する。本実施形態では、継目２０４の近傍の第２の硝子基板２０２の内部に散乱部２０５が形成されている。散乱部２０５は、表示パネル１０１ａ及び表示パネル１０１ｂを構成する硝子部材の屈折率に対して、屈折率の分布が不均一な領域と、屈折率の分布が不連続な領域と、気泡が形成されている領域との少なくともいずれか一つである。本実施形態では、図２に示すように、平面状に形成されている微小な気泡で散乱部２０５を構成する。散乱部２０５の形成方法については後述する。
【００２０】
画像表示装置１００を観察する方向から見た構成を図３に示す。上述したように、４枚の表示パネル１０１ａ、１０１ｂ、１０１ｃ、１０１ｄが、横方向と縦方向（図のｘ、ｙ方向）とにそれぞれ２枚ずつ配列されている。そして、直交する継目２０４の近傍に散乱部２０５からの散乱光による擬似画素が形成される。散乱部２０５の大きさと形状とは、それぞれ画素２０３の大きさと形状と略同一とすることが望ましい。
【００２１】
図２に戻って、画素２０３からの光Ｌ１、Ｌ２、Ｌ３は、所定の空間的拡がりを持って表示パネル１０１ａ、１０１ｂ内を進行する。画素２０３からの光のうち散乱部２０５を経由しない光Ｌ１、Ｌ２は、そのまま表示パネル１０１ｂを射出する。そして、継目２０４の近傍に形成された散乱部２０５は、画素２０３からの光Ｌ１、Ｌ２、Ｌ３の一部Ｌ３を散乱させて、射出させる。このため、散乱部２０５からの散乱光により擬似的な画素が形成される。観察者は、画像表示装置１００を見る場合、継目２０４の領域からは散乱部２０５からの散乱光による擬似的な画素を観察することになる。このため、継目２０４の領域で画素２０３が本来存在しない非表示領域からも光を射出できる。この結果、表示パネル１０１ａと表示パネル１０１ｂとの継目２０４を目立たなくすることができる。また、画素ピッチＰと継目２０４近傍の非表示領域の幅とを略一致させる必要がない。このため、各画素２０３の寸法を大きくすることで高い開口率、及び高精細化できる。このように、表示パネル１０１ａ、１０１ｂを２次元方向へ接合する場合も、継目を目立たないようにし、かつ高い開口率と高精細化を達成できる。このため、容易に画面を大型化することができる。なお、本実施形態において、有機ＥＬパネルの代わりに無機ＥＬパネルを用いても同様の効果を得られる。
【００２２】
（第１実施形態の変形例）
上記第１実施形態の変形例に係る画像表示装置４００を図４に基づいて説明する。上記第１実施形態では、散乱部２０５は平面的に配列されている気泡から構成されている。これに対して、本変形例では、散乱部３０５は、気泡が直方体形状の領域に形成されている点が異なる。気泡を直方体形状などの立体的な領域に形成することで、気泡を平面的に形成したときに比較して散乱効果を高くすることができる。
【００２３】
（散乱部の形成方法）
上述したように、散乱部２０５は、表示パネル１０１ａ及び表示パネル１０１ｂを構成する硝子部材の屈折率に対して、屈折率の分布が不均一な領域と、屈折率の分布が不連続な領域と、気泡が形成されている領域との少なくともいずれか一つである。例えば、硝子部材の中に、屈折率の分布が不連続な領域を形成する方法を説明する。パルスレーザ光を供給するパルスレーザ光源を用いる。レーザ光源としては、ピコ秒〜フェムト秒のパルスレーザ光源が好適である。パルスレーザ光は、図５に示すように、集光レンズ５０２により焦点位置ｆに集光される。
【００２４】
表示パネル１０１ａは、ｘｙｚステージ５００上に載置されている。ｘｙｚステージは、ステージ駆動部５０１により直交する３軸方向に移動可能である。ステージ駆動部５０１は、散乱部２０５を形成する領域と、集光レンズ５０２の焦点位置ｆとが一致するようにｘｙｚステージ５００を駆動する。そして、パルスレーザ光の照射を行う。パルスレーザ光が集光された焦点位置ｆの近傍では、エネルギー集中により硝子が溶ける前に気化する改質現象が生ずる。これにより、直径が数１０〜数１００μｍの球状の真空な気泡を形成できる。気泡の近傍の屈折率は、硝子の屈折率よりも大きい高密度な領域が形成される。このため、画素２０３からの光のうち、気泡に入射した光はより大きく散乱する。また、気泡の急激な生成による周辺媒質の密度変化により屈折率が不均一な領域を作ることができる。
【００２５】
パルスレーザ光の照射による散乱部２０５の形成は、表示パネル１０１ａと表示パネル１０１ｂとを接合する前に行うこと、又は接合した後に行うことのいずれでも良い。なお、集光レンズ５０２は、パルスレーザ光のエネルギーを効率良く集中させるために、開口数（ＮＡ）の大きなレンズを用いることが望ましい。開口数が大きい集光レンズ５０２を用いる場合、集光角度θの成す角度が大きい。このため、表示パネル１０１ａと表示パネル１０１ｂとを接合する前に散乱部２０５を形成するとき、表示パネル１０１ａの端面５０３の近傍では、集光レンズ５０２で集光された光の一部が端面５０３で反射してしまう場合がある。従って、この場合は、端面５０３から一定の距離だけ離れた位置に散乱部２０５を形成しておく。そして、端面５０３近傍の硝子部材を研磨処理して削り落とす。表示パネル１０１ｂに関しても同様にして散乱部２０５を形成する。そして、表示パネル１０１ａ、１０１ｂの研磨処理した端面５０３どうしを光学的接着剤で接合する。これにより、継目２０４近傍に散乱部２０５を形成できる。
【００２６】
また、図６に示すように、集光レンズ５０２による集光光を表示パネル１０１ａの端面５０３の方向から入射させて散乱部２０５を形成しても良い。このとき、表示パネル１０１ａを図中矢印Ｂ方向へ移動させると、平面状の散乱部２０５を形成できる。集光光を端面５０３から入射させると、端面５０３の近傍にも気泡を形成できる。このため、上述の端面５０３近傍を削り落とす工程を省略できる。
【００２７】
このように、パルスレーザ光を用いることで、第２の硝子基板２０２の表面に損傷を与えること無く、硝子基板の内部に散乱部２０５を形成できる。特に、第２の硝子基板２０２の内部における画素２０３の位置と、パルスレーザ光による散乱部２０５の位置とを近づけることが望ましい。これにより、擬似画素は、観察者にとって自然な感じで違和感無く画素２０３を補間できる。
【００２８】
（第２実施形態）
本発明の第２実施形態に係る画像表示装置７００の断面構成（ｘｚ面内）を図７に示す。上記第１実施形態と同一の部分には同一の符号を付し、重複する説明は省略する。上記第１実施形態では、散乱部２０５は、略平行平板である第１の硝子基板２０１に略平行に形成されている。これに対して、本実施形態では、ｘｚ断面内において、表示パネル１０１ａの内部に、第１の硝子基板２０１に対して略４５°をなすように平面形状の散乱部７０５ａが形成されている。同様に、表示パネル１０１ｂの内部に、第１の硝子基板２０１に対して略４５°をなすように平面形状の散乱部７０５ｂが形成されている。そして、散乱部７０５ａと散乱部７０５ｂとで、略Ｖ字形状を構成する。また、略Ｖ字形状の頂点部分Ｔは、継目２０４近傍の画素ピッチＰの位置と略一致させる。これにより、画素２０３からの光のうち、散乱部７０５ａ、７０５ｂに入射した光は、散乱されて第２の硝子基板２０２から射出する。この結果、継目２０４を目立たなくすることができる。
【００２９】
（第２実施形態の変形例）
図８に、第２実施形態の変形例に係る画像表示装置８００を示す。本変形例では、ｘｚ断面において、表示パネル１０１ａの内部に第１の硝子基板２０１に対して略４５°をなすように２つの平面状の散乱部８０５ａ、８０５ｂが形成されている。そして、散乱部８０５ａと散乱部８０５ｂとで略Ｘ字形状を構成する。また、Ｘ字形状の交点部分Ｃは、継目２０４近傍の画素ピッチＰの位置と略一致させる。これにより、画素２０３からの光のうち、散乱部８０５ａ、８０５ｂに入射した光は、散乱されて第２の硝子基板２０２から射出する。この結果、継目２０４を目立たなくすることができる。
【００３０】
（第３実施形態）
図９は、本発明の第３実施形態に係る画像表示装置９００の断面構成（ｘｚ面内）を示す。上記各実施形態と同一の部分には同一の符号を付し、重複する説明は省略する。上記第１実施形態及び第２実施形態では、散乱部２０５、７０５は、第２の硝子基板２０２の内部に形成されている。これに対して、本実施形態では、散乱部９０５が、第２の硝子基板２０２の射出面９０１上に形成されている点が異なる。
【００３１】
散乱部９０５は、表示パネル１０１ａと表示パネル１０１ｂとを光学的接着剤で接合した後に、第２の硝子基板２０２の射出面９０１上に形成できる。例えば、散乱性を有する球状の微小な玉（ビーズ）が分散している塗料を塗布して、散乱部９０５を形成できる。塗料の塗布には、インクジェット方式を用いることができる。また、表示パネル１０１ａ等とは別に製造された散乱性を有するフィルム部材を、射出面９０１に光学的接着剤により固着させて散乱部を形成することもできる。これにより、表示パネル１０１ａ、１０１ｂを接合した後に、容易に散乱部９０５を形成できる。
【００３２】
（第４実施形態）
本発明の第４実施形態に係る画像表示装置１０００の断面構成（ｘｚ面内）を図１０に示す。上記各実施形態では、有機ＥＬパネルを用いて説明している。これに対して、本実施形態に係る画像表示装置１０００では、液晶表示パネルを用いている点が異なる。本実施形態においても、上記第１実施形態と同様に表示パネル１００１ａと表示パネル１００１ｂとを光学的接着剤で接合する。表示パネル１００１ａについて見ると、第１の硝子基板１００２上には画素ピッチＰの間隔で画素１００３が設けられている。画素１００３は、液晶層から構成されている。そして、画素１００３は、後述する光源１０１２からの光を画像信号に応じて変調して射出する。
【００３３】
画素１００３の間には、光源１０１２からの光を遮光する遮光部１００６が形成されている。また、第１の硝子基板１００２に対向する第２の硝子基板１００７で画素１００３を封止する。表示パネル１００１ａと表示パネル１００１ｂとは光学的接着剤で接合する。そして、継目１００４の近傍に散乱部１００５を形成する。散乱部１００５は、隣接する画素１００３に対して画素ピッチＰの位置に設ける。また、接合した表示パネル１００１ａ、１００１ｂの光源１０１２側の面には、硝子板１００８に固着された第１の偏光膜１００９が設けられている。さらに、接合した表示パネル１００１ａ、１００１ｂの光源１０１２とは反対側の面には、硝子板１０１０に固着された第２の偏光膜１０１１が設けられている。第１の偏光膜１００９と第２の偏光膜１０１１とは、いわゆるクロスニコルの状態に設定されている。
【００３４】
また、第１の偏光膜１００９側には、バックライト用の光を供給する光源１０１２が設けられている。光源１０１２からの光のうち、画素１００３で画像信号に応じて変調された光が、第２の偏光板１０１１側へ射出する。画素１００３を射出した光のうち、散乱部１００５に入射した光は、散乱されて射出する。散乱部１００５は、遮光部１００６の位置に対応して形成されていることが望ましい。これにより、第２の偏光板１０１１の方向から観察した場合、観察者は遮光部１００６に対応した位置に散乱光による擬似画素を認識できる。従って、観察者は、継目１００４近傍の遮光部１００６を認識してしまうことを防止できる。
【００３５】
液晶表示パネルの場合、画素１００３からは、図１０において、第２の硝子基板１００７に略平行となるような光は射出しない。このため、画素１００３から射出した光が、第２の硝子基板１００７内を全反射により伝播することがない。従って、第２の硝子基板１００７の適当な深さ方向の位置に散乱部１００５を形成することにより、散乱部１００５の近傍の画素１００３の情報に近い散乱光を発生させることができる。この結果、クロストークの低減された擬似画素を得ることができる。
【００３６】
なお、上記実施形態では、有機又は無機のＥＬ表示パネル、及び液晶表示パネルの例を用いて説明したが、本発明はこれに限られること無く、複数の平面表示パネルを配列して大型の画面を形成する、いわゆるタイリング型のすべての画像表示装置に対して適用することができる。
【図面の簡単な説明】
【図１】本発明の第１実施形態に係る画像表示装置の斜視図。
【図２】第１実施形態の概略断面図。
【図３】第１実施形態を観察方向から見た図。
【図４】第１実施形態の変形例の概略断面図。
【図５】散乱部の製造方法の説明図。
【図６】散乱部の他の製造方法の説明図。
【図７】本発明の第２実施形態に係る画像表示装置の概略断面図。
【図８】第２実施形態の変形例の概略断面図。
【図９】本発明の第３実施形態に係る画像表示装置の概略断面図。
【図１０】本発明の第４実施形態に係る画像表示装置の概略断面図。
【符号の説明】
１００  画像表示装置、１０１ａ、１０１ｂ、１０１ｃ、１０１ｄ  表示パネル、２０１、２０２  硝子基板、２０３  画素、２０４  継目、２０５  散乱部、４００  画像表示装置、５００  ｘｙｚステージ、５０１  ステージ駆動部、５０２  集光レンズ、５０３  端面、７００  画像表示装置、７０５ａ  散乱部、７０５ｂ  散乱部、８０５ａ  散乱部、８０５ｂ  散乱部、９００  画像表示装置、９０１  射出面、１０００  画像表示装置、１００１ａ  表示パネル、１００１ｂ  表示パネル、１００２  硝子基板、１００３  画素、１００４  継目、１００５  散乱部、１００６  遮光部、１００７  硝子基板、１００８  硝子板、１００９  第１の偏光膜、１０１０  硝子板、１０１１  第２の偏光板、１０１２  光源、ｆ  焦点位置、Ｐ  画素ピッチ、Ｔ  頂点部分、θ  集光角度
【図１】
2005003990.tif 000003
【図２】
2005003990.tif 000004
【図３】
2005003990.tif 000005
【図４】
2005003990.tif 000006
【図５】
2005003990.tif 000007
【図６】
2005003990.tif 000008
【図７】
2005003990.tif 000009
【図８】
2005003990.tif 000010
【図９】
2005003990.tif 000011
【図１０】
2005003990.tif 000012